(57)【要約】【課題】音声による入力操作の円滑化を図ることが可能な表示装置及びその名称表示方法を提供する。【解決手段】音声認識の対象となる音声認識対象語を画面上に１又は複数表示し、音声認識対象語が正確に発話された場合には、所定の処理を実行し、音声認識部３１にてユーザによる音声認識対象語の発話が不正確であったと認識された場合やユーザによる音声認識対象語の発話が所定時間認識されなかった場合には、提示処理部３３は、画面上に表示される１又は複数の音声認識対象語のうち少なくとも１以上の音声認識対象語を仮名表記にして表示内容を生成し、ディスプレイ４０は、この生成された表示内容を表示する。【選択図】　　　図１
2004133162.tif 000002
【特許請求の範囲】
【請求項１】
車両に搭載され、音声認識の対象となる音声認識対象語を画面上に１又は複数表示し、前記音声認識対象語が正確に発話されることにより所定の処理を実行する表示装置において、
ユーザが発話した音声を認識する音声認識手段と、
前記音声認識手段にてユーザによる前記音声認識対象語の発話が不正確であったと認識された場合又は前記音声認識手段にてユーザによる発話が所定時間認識されなかった場合に、画面上に表示される１又は複数の前記音声認識対象語のうち少なくとも１以上の前記音声認識対象語を仮名表記にして表示内容を生成する表示内容生成手段と、
前記表示内容生成手段にて生成された前記表示内容を表示する表示手段と、
を備えることを特徴とする表示装置。
【請求項２】
画面上に表示される１又は複数の前記音声認識対象語から、前記表示内容生成手段により仮名表記とされる前記音声認識対象語を選択する選択手段をさらに備え、
前記選択手段は、前記音声認識手段にてユーザによる発話が所定時間認識されなかった場合に、１又は複数の前記音声認識対象語のうち予め難読であるとして登録された前記音声認識対象語を選択することを特徴とする請求項１に記載の表示装置。
【請求項３】
画面上に表示される１又は複数の前記音声認識対象語から、前記表示内容生成手段により仮名表記とされる前記音声認識対象語を選択する選択手段をさらに備え、
前記音声認識手段は、画面上に表示される１又は複数の前記音声認識対象語それぞれと発話された音声との尤度がすべて第１の所定値を下回った場合に、前記音声認識対象語の発話が不正確であったと認識し、
前記選択手段は、前記尤度がすべて第１の所定値を下回ったことによって、前記音声認識手段にて前記音声認識対象語の発話が不正確であったと認識された場合、前記尤度が前記第１の所定値よりも小さく設定される第２の所定値以上となった前記音声認識対象語を選択することを特徴とする請求項１に記載の表示装置。
【請求項４】
画面上に表示される１又は複数の前記音声認識対象語から、前記表示内容生成手段により仮名表記とされる前記音声認識対象語を選択する選択手段をさらに備え、
前記音声認識手段は、前記音声認識対象語の誤った読みであって予め登録された誤読名称が発話された場合に、前記音声認識対象語の発話が不正確であったと認識し、
前記選択手段は、前記誤読名称が発話されたことによって、前記音声認識手段にて前記音声認識対象語の発話が不正確であったと認識された場合、その誤読名称が発話された前記音声認識対象語を選択することを特徴とする請求項１に記載の表示装置。
【請求項５】
車両に搭載され、音声認識の対象となる音声認識対象語を画面上に１又は複数表示し、前記音声認識対象語が正確に発話されることにより所定の処理を実行する表示装置において、
ユーザが発話した音声を認識する音声認識手段と、
前記音声認識手段にてユーザによる前記音声認識対象語の発話が不正確であったと認識された場合又は前記音声認識手段にてユーザによる発話が所定時間認識されなかった場合に、画面上に表示される１又は複数の前記音声認識対象語のうち少なくとも１以上の前記音声認識対象語に記号を付して表示内容を生成する表示内容生成手段と、
前記表示内容生成手段にて生成された前記表示内容を表示する表示手段とを備え、
前記音声認識手段は、前記記号が発話されることにより、前記記号のみとされた又は前記記号が付されている前記音声認識対象語が発話されたと認識することを特徴とする表示装置。
【請求項６】
画面上に表示される１又は複数の前記音声認識対象語から、前記表示内容生成手段により前記記号が付される前記音声認識対象語を選択する選択手段をさらに備え、
前記選択手段は、前記音声認識手段にてユーザによる発話が所定時間認識されなかった場合に、１又は複数の前記音声認識対象語のうち予め難読であるとして登録された前記音声認識対象語を選択することを特徴とする請求項５に記載の表示装置。
【請求項７】
画面上に表示される１又は複数の前記音声認識対象語から、前記表示内容生成手段により前記記号が付される前記音声認識対象語を選択する選択手段をさらに備え、
前記音声認識手段は、画面上に表示される１又は複数の前記音声認識対象語それぞれと発話された音声との尤度がすべて第１の所定値を下回った場合に、前記音声認識対象語の発話が不正確であったと認識し、
前記選択手段は、前記尤度がすべて第１の所定値を下回ったことによって、前記音声認識手段にて前記音声認識対象語の発話が不正確であったと認識された場合、前記尤度が前記第１の所定値よりも小さく設定される第２の所定値以上となった前記音声認識対象語を選択することを特徴とする請求項５に記載の表示装置。
【請求項８】
画面上に表示される１又は複数の前記音声認識対象語から、前記表示内容生成手段により前記記号が付される前記音声認識対象語を選択する選択手段をさらに備え、
前記音声認識手段は、前記音声認識対象語の誤った読みであって予め登録されている誤読名称が発話された場合に、前記音声認識対象語の発話が不正確であったと認識し、
前記選択手段は、前記誤読名称が発話されたことによって、前記音声認識手段にて前記音声認識対象語の発話が不正確であったと認識された場合、その誤読名称が発話された前記音声認識対象語を選択することを特徴とする請求項５に記載の表示装置。
【請求項９】
車両に搭載され、音声認識の対象となる音声認識対象語を画面上に１又は複数表示し、前記音声認識対象語が正確に発話されることにより所定の処理を実行する表示装置において、
ユーザが発話した音声を認識する音声認識手段と、
地域毎におけるユーザの親和度を記憶する記憶手段と、
前記音声認識手段にて認識された音声が表示を指定する地域について、前記記憶手段に記憶されたユーザの親和度が所定値を下回る場合に、指定された地域内に表示される１又は複数の前記音声認識対象語のうち少なくとも１以上の前記音声認識対象語を仮名表記にして表示内容を生成する表示内容生成手段と、
前記表示内容生成手段にて生成された前記表示内容を表示する表示手段と、
を備えることを特徴とする表示装置。
【請求項１０】
前記地域毎におけるユーザの親和度は、前記車両の走行履歴に基づいて求められることを特徴とする請求項９に記載の表示装置。
【請求項１１】
前記地域毎におけるユーザの親和度は、予めユーザによって登録された登録内容に基づいて求められることを特徴とする請求項９又は請求項１０のいずれかに記載の表示装置。
【請求項１２】
前記地域毎におけるユーザの親和度は、ユーザの操作履歴に基づいて求められることを特徴とする請求項９〜請求項１１のいずれか１項に記載の表示装置。
【請求項１３】
車両に搭載され、音声認識の対象となる音声認識対象語を画面上に１又は複数表示し、前記音声認識対象語が正確に発話されることにより所定の処理を実行する表示装置の名称表示方法において、
ユーザが発話した音声を認識する第１ステップと、
前記第１ステップにてユーザによる前記音声認識対象語の発話が不正確であったと認識された場合又は前記第１ステップにてユーザによる発話が所定時間認識されなかった場合に、画面上に表示される１又は複数の前記音声認識対象語のうち少なくとも１以上の前記音声認識対象語を仮名表記にして表示内容を生成する第２ステップと、
前記第２ステップにて生成された前記表示内容を表示する第３ステップと、
を備えることを特徴とする表示装置の名称表示方法。
【請求項１４】
車両に搭載され、音声認識の対象となる音声認識対象語を画面上に１又は複数表示し、前記音声認識対象語が正確に発話されることにより所定の処理を実行する表示装置の名称表示方法において、
ユーザが発話した音声を認識する第１ステップと、
前記第１ステップにてユーザによる前記音声認識対象語の発話が不正確であったと認識された場合又は前記音声認識手段にてユーザによる発話が所定時間認識されなかった場合に、画面上に表示される１又は複数の前記音声認識対象語のうち少なくとも１以上の前記音声認識対象語に記号を付して表示内容を生成する第２ステップと、
前記第２ステップにて生成された前記表示内容を表示する第３ステップとを備え、
次回以降の前記第１ステップでは、前記記号が発話されることにより、前記記号が付されている前記音声認識対象語が発話されたと認識することを特徴とする表示装置の名称表示方法。
【請求項１５】
車両に搭載され、音声認識の対象となる音声認識対象語を画面上に１又は複数表示し、前記音声認識対象語が正確に発話されることにより所定の処理を実行する表示装置の名称表示方法において、
ユーザが発話した音声を認識する第１ステップと、
前記第１ステップにて認識された音声が表示を指定する地域について、記憶されているユーザの親和度が所定値を下回る場合に、指定された地域内に表示される１又は複数の前記音声認識対象語のうち少なくとも１以上の前記音声認識対象語を仮名表記にして表示内容を生成する第２ステップと、
前記第２ステップにて生成された前記表示内容を表示する第３ステップと、
前記第３ステップにて表示された地域について、ユーザの親和度を更新して記憶する第４ステップとを備え、
前記第４ステップにて更新して記憶された前記ユーザの親和度を、次回以降の前記第２ステップにおける所定値との比較に用いることを特徴とする表示装置の名称表示方法。
【発明の詳細な説明】
【０００１】
【発明の属する技術分野】
本発明は、音声認識の対象となる音声認識対象語が正確に発話されることにより所定の処理を実行する表示装置及びその名称表示方法に関する。
【０００２】
【従来の技術】
従来における表示装置のひとつであるナビゲーション装置として、例えば、目的地の読み方が不明である場合、目的地の周辺地名及びその周辺地名から目的地までの距離等をユーザに音声入力させて目的地の位置を特定し、この位置に存在する目的地の名称をユーザに音声案内して、当初読み方が不明であった目的地をユーザに指定させるものが知られている（例えば特許文献１参照）。
【０００３】
【特許文献１】
特開２０００−３３７９１２号公報
【０００４】
【発明が解決しようとする課題】
しかしながら、従来における表示装置（ナビゲーション装置）では、目的地等の読み方が不明である場合、目的地等を指定するまでの操作が複雑であり煩わしいものであった。特に、雨天の走行時など運転に集中している場合には、その操作が非常に煩わしいものになってしまう。
【０００５】
本発明はこのような従来の課題を解決するためになされたものであり、その目的とするところは、音声による入力操作の円滑化を図ることが可能な表示装置及びその名称表示方法を提供することにある。
【０００６】
【課題を解決するための手段】
上記目的を達成するため、本発明では、音声認識の対象となる音声認識対象語を画面上に１又は複数表示し、音声認識対象語が正確に発話された場合には、目的地の設定や画面切替などの所定の処理を実行し、ユーザによる音声認識対象語の発話が不正確であったと認識された場合やユーザによる音声認識対象語の発話が所定時間認識されなかった場合には、画面上に表示される１又は複数の音声認識対象語のうち少なくとも１以上の音声認識対象語を仮名表記にして表示させることを特徴としている。
【０００７】
【発明の効果】
本発明によれば、ユーザの発話状態を検知し、画面上に表示される少なくとも１以上の音声認識対象を仮名表記にして表示するので、ユーザは、漢字等の表記では読むことができなかった音声認識対象語の正確な読みを知ることとなり、複雑な操作を要することなく音声認識対象語を簡易に指定することが可能となる。従って、音声による入力操作の円滑化を図ることができる。
【０００８】
【発明の実施の形態】
以下、本発明の好適な実施形態を図面に基づいて説明する。
【０００９】
図１は、本発明の第１実施形態に係る表示装置の構成図である。同図に示すように、表示装置１は、車両に搭載され、音声認識の対象となる音声認識対象語を画面上に１又は複数表示し、音声認識対象語が正確に発話されることにより所定の処理を実行するものであって、好適には、音声認識のナビゲーション装置などに適用される。以下、表示装置１を音声認識のナビゲーション装置に適用した例について、説明する。
【００１０】
この表示装置１は、音声を入力する音声入力部１０と、各種データを保有するデータベース２０と、音声入力部１０からの音声信号を入力すると共に、生成された画像データ等を出力するナビゲーション部３０と、ナビゲーション部３０からの画像データに基づき画像を表示するディスプレイ（表示手段）４０と、ナビゲーション部３０により生成された音声データに基づき音声を出力するスピーカ５０とを備えている。
【００１１】
より詳しく説明すると、データベース２０は、ディスプレイ４０に表示され音声入力の対象となる音声認識対象語、及びその音声認識対象語の誤った読みである誤読名称を記憶する認識辞書部２１と、道路地図や建物等の位置のデータ及び音声認識対象の漢字データや仮名データ等を記憶する地図データ部２２とを具備している。
【００１２】
また、ナビゲーション部３０は、ユーザが発話した音声を認識する音声認識部（音声認識手段）３１と、音声認識部３１にてユーザによる音声認識対象語の発話が不正確であったと認識された場合又は音声認識部３１にてユーザによる発話が所定時間認識されなかった場合に、ディスプレイ４０の画面上に表示される１又は複数の音声認識対象語のうち少なくとも１以上の音声認識対象語を選択する判定部（選択手段）３２と、判定部３２により選択された音声認識対象語を仮名表記にして表示内容を生成する提示処理部（表示内容生成手段）３３とを具備している。
【００１３】
なお、上記音声認識部３１は、認識辞書部２１が記録する音声認識対象語とユーザが発話した音声とを比較して尤度を算出し、尤度が第１の所定値（例えば８０％）以上となった音声認識対象語が発話されたものと認識するように構成されている。
【００１４】
図２は、本実施形態の表示装置１の動作を示すフローチャートである。同図に示すように、まず、音声認識部３１は、ユーザによって音声が入力されたか否かを判断する（ＳＴ１００）。ユーザによって音声が入力されなかったと判断した場合（ＳＴ１００：ＮＯ）、ナビゲーション部３０は、音声認識部３１にてユーザによる発話が所定時間認識されなかったか否かを判断する（ＳＴ１０１）。
【００１５】
音声認識部３１にてユーザによる発話が所定時間以内に認識されたと判断した場合（ＳＴ１０１：ＮＯ）、ナビゲーション部３０は終了動作が行われたか否かを判断する（ＳＴ１０２）。すなわち、ナビゲーション部３０は、例えばイグニッションスイッチがオフされた否かを判断する。
【００１６】
終了動作が行われていないと判断した場合（ＳＴ１０２：ＮＯ）、処理はステップＳＴ１００に戻る。終了動作が行われたと判断した場合（ＳＴ１０２：ＹＥＳ）、処理は終了する。
【００１７】
ところで、音声認識部３１にてユーザによる発話が所定時間認識されなかったと判断した場合（ＳＴ１０１：ＹＥＳ）、ナビゲーション部３０は、第１又は第２の提示処理を実行する（ＳＴ１１０）。そして、第１又は第２の提示処理の実行後、処理はステップＳＴ１０２に移行する。
【００１８】
ここで、第１の提示処理とは、提示処理部３３が、画面上に表示される１又は複数の音声認識対象語のすべてを仮名表記にして表示内容を生成する処理である。そして、第１の提示処理が実行されると、ディスプレイ４０には、次のような画像が表示される。
【００１９】
図３は、第１の提示処理が実行される場合にディスプレイ４０に表示される画像を示す説明図であり、（ａ）は実行前の表示画像の一例を示しており、（ｂ）は実行後の表示画像の一例を示している。
【００２０】
図３（ａ）に示すように、第１の提示処理が実行される前の表示画像は、音声認識対象語である「田浦大作町」や「逸見駅」等が漢字による一般表記４１で表示されている。そして、第１の提示処理が実行されると、図３（ｂ）に示すように、音声認識対象語である「田浦大作町」や「逸見駅」等は、すべて平仮名による仮名表記４２で表示される。このように、第１の提示処理が実行されると、画面上に表示されるすべての音声認識対象語が漢字などの一般表記４１から平仮名などの仮名表記４２に変更されて表示される。
【００２１】
また、第２の提示処理とは、判定部３２が、画面上に表示される１又は複数の音声認識対象語のうち予め難読であるとして登録された音声認識対象語を選択し、提示処理部３３が、選択された音声認識対象語を仮名表記４２にして表示内容を生成する処理である。そして、第２の提示処理が実行されると、ディスプレイ４０には、次のような画像が表示される。
【００２２】
図４は、第２の提示処理が実行される場合にディスプレイ４０に表示される画像を示す説明図であり、（ａ）は実行前の表示画像の一例を示しており、（ｂ）は実行後の表示画像の一例を示している。
【００２３】
図４（ａ）に示すように、第１の提示処理が実行される前の表示画像は、音声認識対象語である「汐入駅」や「逸見駅」等が漢字による一般表記４１で表示されている。そして、第２の提示処理が実行されると、図４（ｂ）に示すように、音声認識対象語のうち難読である「汐入駅」や「逸見駅」等は、すべて平仮名による仮名表記４２で表示される。このように、第２の提示処理が実行されると、画面上に表示される音声認識対象語のうち難読であるものが、漢字などの一般表記４１から平仮名などの仮名表記４２に変更されて表示される。
【００２４】
なお、この難読であるか否かは、データベース２０に予め登録されているデータを参照することによって、判定部３２により判断される。
【００２５】
再び、図２を参照して説明する。ユーザによって音声が入力されたと判断した場合（ＳＴ１００：ＹＥＳ）、音声認識部３１は、入力された音声と音声認識辞書部２１に記録されている音声データとがマッチングしたか否かを判断する（ＳＴ１２０）。すなわち、音声認識部３１は、画面上に表示される音声認識対象語それぞれと発話された音声との尤度のいずれかが第１の所定値以上となったか否かを判断する。
【００２６】
音声認識辞書部２１に記録されている音声データと入力された音声とがマッチングしなかったと判断した場合（ＳＴ１２０：ＮＯ）、すなわち、尤度がすべて第１の所定値を下回った場合、音声認識部３１は、第１の所定値よりも小さく設定される第２の所定値（例えば５０％）以上の尤度となった音声認識対象語が存在するか否かを判断する（ＳＴ１２１）。
【００２７】
第２の所定値以上の尤度となった音声認識対象語が存在しないと判断した場合（ＳＴ１２１：ＮＯ）、処理はステップＳＴ１０２に移行する。第２の所定値以上の尤度の音声認識対象語が存在すると判断した場合（ＳＴ１２１：ＹＥＳ）、ナビゲーション部３０は、第３の提示処理を実行する（ＳＴ１３０）。そして、第３の提示処理の実行後、処理はステップＳＴ１０２に移行する。
【００２８】
ここで、第３の提示処理とは、判定部３２が、画面上に表示される１又は複数の音声認識対象語のうち第２の所定値以上の尤度となった音声認識対象語を選択し、提示処理部３３が、選択された音声認識対象語を仮名表記４２にして表示内容を生成する処理である。そして、第３の提示処理が実行されると、ディスプレイ４０には、次のような画像が表示される。
【００２９】
図５は、第３の提示処理が実行される場合にディスプレイ４０に表示される画像を示す説明図であり、（ａ）は実行前の表示画像の一例を示しており、（ｂ）は実行後の表示画像の一例を示している。また、図６は、音声認識対象語の尤度の一例を示す説明図である。
【００３０】
図５（ａ）に示すように、第３の提示処理が実行される前の表示画像は、音声認識対象語である「田浦大作町」等が漢字による一般表記４１で表示されている。ここで、ユーザが「田浦大作町（たうらだいさくちょう）」を指定するつもりで「たうらたいさくちょう」と発話したとする。このとき、尤度は、例えば図６に示すように「田浦大作町」が「６５％」、「田浦泉町」が「３０％」、「田浦駅」が「２０％」となる。
【００３１】
そして、第２の所定値が「５０％」に設定されている場合、第２の所定値以上となる音声認識対象語は、「田浦大作町」だけである。この場合、第３の提示処理が実行されると、図５（ｂ）に示すように、第２の所定値以上となった音声認識対象語である「田浦大作町」は、平仮名による仮名表記４２にされて表示される。このように、第３の提示処理が実行されると、画面上に表示される音声認識対象語のうち第２の所定値以上となったものが漢字などの一般表記４１から平仮名などの仮名表記４２に変更されて表示されることとなる。
【００３２】
なお、ここでの説明では、仮名表記４２にされた音声認識対象語は１つであったが、特に１つに限らず、第２の所定値以上となった音声認識対象語が２つ以上存在する場合には、当然２つ以上の音声認識対象語が仮名表記４２にされることとなる。
【００３３】
再度、図２を参照して説明する。音声認識辞書部２１に記録されている音声データと入力された音声とがマッチングしたと判断した場合（ＳＴ１２０：ＹＥＳ）、音声認識部３１は、音声認識対象語の誤った読みである誤読名称とマッチングしたか否かを判断する（ＳＴ１４０）。
【００３４】
音声認識対象語の誤った読みである誤読名称とマッチングしなかったと判断した場合（ＳＴ１４０：ＮＯ）、すなわち、音声認識対象語が正確に発話されたと判断した場合、通常の表示内容が提示される（ＳＴ１４１）。すなわち、図３（ａ）や図４（ａ）に示すように、音声認識対象語が仮名表記４２でなく一般表記４１として表示される。通常表示後、処理は、ステップＳＴ１０２に移行する。
【００３５】
一方、音声認識対象語の誤った読みである誤読名称とマッチングしたと判断した場合（ＳＴ１４０：ＹＥＳ）、ナビゲーション部３０は、第４の提示処理を実行する（ＳＴ１５０）。そして、第４の提示処理の実行後、処理はステップＳＴ１０２に移行する。
【００３６】
ここで、第４の提示処理とは、判定部３２が、誤読名称の発話があった音声認識対象語を選択し、提示処理部３３が、画面上に表示される１又は複数の音声認識対象語のうち判定部３２に選択された音声認識対象語を仮名表記４２にして表示内容を生成する処理である。そして、第４の提示処理が実行されると、ディスプレイ４０には、次のような画像が表示される。
【００３７】
図７は、第４の提示処理が実行される場合にディスプレイ４０に表示される画像を示す説明図であり、（ａ）は実行前の表示画像の一例を示しており、（ｂ）は実行後の表示画像の一例を示している。図７（ａ）に示すように、第４の提示処理が実行される前の表示画像は、音声認識対象語である「逸見駅」等が漢字表記で表示されている。
【００３８】
ここで、ユーザが「逸見駅（へみえき）」を指定するつもりで「いつみえき」と発話したとする。このとき、音声認識部３１は、「逸見駅（へみえき）」の誤読名称である「いつみえき」という読みを記憶しており、「逸見駅」の誤読名称が発話されたと判断する。そして、第４の提示処理が実行されると、図７（ｂ）に示すように、音声認識対象語である「逸見駅」は、平仮名による仮名表記４２で表示される。このように、第４の提示処理が実行されると、画面上に表示される１又は複数の音声認識対象語のうち誤読名称によって発話された音声認識対象語が漢字などの一般表記４１から平仮名などの仮名表記４２に変更されて表示される。
【００３９】
このようにして、本実施形態に係る表示装置１及びその名称表示方法では、ユーザの発話状態を検知し、画面上に表示される少なくとも１以上の音声認識対象を仮名表記４２にして表示するので、ユーザは、漢字等の表記では読むことができなかった音声認識対象語の正確な読みを知ることとなり、複雑な操作を要することなく音声認識対象語を指定することが可能となる。従って、音声による入力操作の円滑化を図ることができる（請求項１，１３の効果）。
【００４０】
また、音声認識部３１にてユーザによる音声認識対象語が所定時間認識されなかった場合には、画面上に表示される音声認識対象語のうち難読であるものを仮名表記４２にして表示するので、画面上の音声認識対象語のすべてを仮名表記４２にする場合に比して、画面全体の文字数の増加を抑制することとなり、文字数増加による視認性の低下を抑制することができる（請求項２の効果）。
【００４１】
また、尤度が第２の所定値以上となった音声認識対象語を仮名表記４２にして表示するので、音声認識対象語が難読であるか否かにかかわらず、ユーザが正確に発話できなければ、ユーザが指定しようとした可能性が高い音声認識対象語について正確な読みを提示することが可能となっており、ユーザに対する音声入力の支援を柔軟に行うことができる（請求項３の効果）。
【００４２】
また、誤読名称が発話された音声認識対象語を仮名表記４２にして表示するので、誤った読みが発話された音声認識対象語だけが仮名表記４２とされることとなる。このため、ユーザが指定しようとした確率が極めて高い音声認識対象語だけを仮名表記４２にすることとなり、画面全体の文字数の増加を最小限に抑え、視認性の低下をより効率よく抑制することができる（請求項４の効果）。
【００４３】
次に本発明の第２実施形態を説明する。第２の実施形態に係る表示装置２は、第１の実施形態に係る表示装置１とほぼ同様であるが、以下の点で異なっている。
【００４４】
すなわち、第１実施形態に係る表示装置１では、第１〜第４の提示処理において、漢字などの一般表記４１を仮名表記４２にして表示していたが、第２実施形態に係る表示装置２では、漢字などの一般表記４１に記号を付して表示するように構成されている。つまり、第２実施形態では、提示処理部３３が音声認識対象語に数字やアルファベットなどの記号を付して記号付名称とし、それをディスプレイ４０が表示するようになっている。
【００４５】
また、音声認識部３１は、記号が付された音声認識対象語がディスプレイ４０の画面上に表示されている間、記号の発話を認識するようになっている。記号が発話されると、音声認識部３１は記号が付されている音声認識対象語が発話されたと認識し、表示装置２は目的地の設定や画面切替など所定の処理を実行する。
【００４６】
このように、本実施形態に係る表示装置２及びその名称表示方法では、ユーザは、漢字等の表記では読むことができなかった音声認識対象語を容易に発話することが可能となり、複雑な操作を要することなく音声認識対象語を指定することが可能となる。従って、音声による入力操作の円滑化を図ることができる（請求項５，１４の効果）。
【００４７】
また、音声認識部３１にてユーザによる音声認識対象語が所定時間認識されなかった場合には、画面上に表示される音声認識対象語のうち難読であるものに記号を付して表示するので、画面上の音声認識対象語のすべてに記号を付す場合に比して、画面全体の文字数の増加を抑制することとなる。従って、文字数増加による視認性の低下を抑制することができる（請求項６の効果）。
【００４８】
また、尤度が第２の所定値以上となった音声認識対象語に記号を付して表示するので、音声認識対象語が難読であるか否かにかかわらず、ユーザが正確に発話できなければ、ユーザが指定しようとした可能性が高い音声認識対象語に記号を付すことになり、ユーザに対する音声入力の支援を柔軟に行うことができる（請求項７の効果）。
【００４９】
また、誤読名称が発話された音声認識対象語に記号を付して表示するので、誤った読みが発話された音声認識対象語だけに記号が付されることとなる。このため、ユーザが指定しようとした確率が極めて高い音声認識対象語だけに記号を付すこととなる。従って、画面全体の文字数の増加を最小限に抑え、視認性の低下をより効率よく抑制することができる（請求項８の効果）。
【００５０】
次に、本発明の第３実施形態について説明する。図８は、本発明の第３実施形態に係る表示装置の構成図である。同図に示すように、第３実施形態に係る表示装置３は、第１実施形態の表示装置１に加え、ＧＰＳ衛星からの電波を受信すると共に、車両の現在位置の緯度及び経度、並びに現在時刻等の情報を出力するＧＰＳ受信機１１と、車体の角度変化を知るためのジャイロセンサ１２と、車両の走行速度及び距離に比例した数のパルス信号を出力する車速センサ１３と、信号をナビゲーション部３０に無線にて送出するリモコン１４と、地域毎におけるユーザの親和度を記憶する親和度データベース（記憶手段）６０とを備えている。
【００５１】
また、同図に示すように、ナビゲーション部３０は、判定部３２に代えて、所定の操作等に基づいて親和度の更新などを行う親和度登録部３４を有している。また、ナビゲーション部３０の提示処理部３３は、判定部３２が選択した音声認識対象語を仮名表記４２にする代わりに、親和度データベース６０に記憶されている親和度に基づいて、音声認識対象語を仮名表記４２にするか否かを判断するようになっている。
【００５２】
ここで、親和度とは、ユーザが各地域の地名をどれだけ知っているかを示す指標であって、車両の走行履歴や予めユーザによって登録された登録内容やユーザの操作履歴に基づいて求められるものである。
【００５３】
図９は、本実施形態の表示装置３の動作を示すフローチャートである。同図に示すように、まず、音声認識部３１は、音声認識対象語がユーザによって発話されたか否かを判断する（ＳＴ２００）。ユーザによって音声認識対象語が発話されなかったと判断した場合（ＳＴ２００：ＮＯ）、ナビゲーション部３０は、現在、自車両が走行中であるか否かを判断する（ＳＴ２０１）。
【００５４】
自車両が走行中でないと判断した場合（ＳＴ２０１：ＮＯ）、ナビゲーション部３０は、ポイントが登録中であるか否かを判断する（ＳＴ２０２）。ポイントが登録中でないと判断した場合（ＳＴ２０２：ＮＯ）、ナビゲーション部３０は終了動作が行われたか否かを判断する（ＳＴ２０３）。すなわち、ナビゲーション部３０は、イグニッションスイッチ等がオフされた否かを判断する。
【００５５】
終了動作が行われていないと判断した場合（ＳＴ２０３：ＮＯ）、処理はステップＳＴ２００に戻る。終了動作が行われたと判断した場合（ＳＴ２０３：ＹＥＳ）、処理は終了する。
【００５６】
ところで、ポイントが登録中であると判断した場合（ＳＴ２０２：ＹＥＳ）、ナビゲーション部３０は、登録されたポイントの位置情報をデータベース２０から取得し（ＳＴ２１０）、親和度登録部３４は、取得した位置情報を登録内容として親和度データベース６０に登録する（ＳＴ２１１）。これにより、親和度データベース６０は、登録された位置について記録されている親和度を更新して記録することとなる。その後、処理はステップＳＴ２０３に移行する。
【００５７】
また、自車両が走行中であると判断した場合（ＳＴ２０１：ＹＥＳ）、ナビゲーション部３０は、ＧＰＳ受信機１１からの緯度や経度の情報及び時刻情報に基づいて、現在位置と時刻とを走行履歴として取得する（ＳＴ２２０）。そして、親和度登録部３４は親和度の更新を行う（ＳＴ２１１）。これにより、親和度データベース６０は親和度を更新する。その後、処理はステップＳＴ２０３に移行する。
【００５８】
なお、表示装置３は、ジャイロセンサ１２や車速センサ１３を備えているため、ナビゲーション部３０は、ＧＰＳ受信機１１からの信号によることなく、ジャイロセンサ１２や車速センサ１３からの信号に基づいて位置情報を求めるようにしてもよい。
【００５９】
また、音声認識対象語がユーザによって発話されたと判断した場合（ＳＴ２００：ＹＥＳ）、提示処理部３３は、親和度データベース６０から親和度の情報を取得する。そして、音声認識部３１にて認識された音声が表示を指定する地域について、親和度と予め記憶されている所定値とを比較する。
【００６０】
比較後、提示処理部３３は、比較結果に基づいて表示内容を生成し、ディスプレイ４０は、生成された表示内容を表示する（ＳＴ２３１）。表示後、ナビゲーション部３０は、ディスプレイ４０に表示された表示位置の情報を操作履歴として取得する（ＳＴ２３２）。そして、親和度登録部３４は親和度の更新を行う（ＳＴ２１１）。これにより、親和度データベース６０は親和度を更新する。その後、処理はステップＳＴ２０３に移行する。
【００６１】
以下、ステップＳＴ２３１で表示される表示画像について、図１０を参照して説明する。図１０は、親和度に基づいて表示される画像を示す説明図であり、（ａ）は表示内容切替前の画像の一例を示しており、（ｂ）は表示内容切替後の画像の一例を示しており、（ｃ）は表示内容切替後の画像の他の例を示している。
【００６２】
図１０（ａ）に示すように、表示内容切替前の画像には、音声認識対象語である「横浜市」や「横須賀市」等が漢字による一般表記４１で表示されている。また、領域７０は、ユーザが過去に行ったことがあったり（走行履歴）、予めユーザに登録されていたり（登録内容）、操作された表示されたことがあったり（操作履歴）する横浜市を含む地域であり、親和度が所定値以上となっている。
【００６３】
次に、ユーザが「横浜市」を指定したとする。このとき、提示処理部３３は、図１０（ｂ）に示すように、領域７０に含まれる音声認識対象語（「青葉区」等）を一般表記４１にし、領域７０に含まれない音声認識対象語（「たまく」等）を平仮名による仮名表記４２にして横浜市及びその周辺の詳細地図を表示する。
【００６４】
一方、ユーザが「横須賀市」を指定した場合、表示画像は図１０（ｃ）に示すようになる。すなわち、横須賀市は領域７０に含まれていないので、音声認識対象語である「山中町」等は、すべて「やまなかちょう」などの平仮名表記で表示される。
【００６５】
すなわち、提示処理部３３は、親和度が所定値以上の地域について漢字表記などの一般表記４１とし、親和度が所定値を下回る地域について一般表記４１を仮名表記４２にして表示内容を生成している。
【００６６】
このようにして、本実施形態に係る表示装置３及びその渋滞表示方法では、音声が表示を指定する地域について、記憶されたユーザの親和度が所定値を下回る場合に、指定された地域内に表示される１又は複数の音声認識対象語のうち少なくとも１以上の音声認識対象語を仮名表記４２にして表示するので、ユーザは、初めて訪れたり画面表示したりした地域について、音声認識対象語の読み方に迷うことなくなり、複雑な操作を要することなく音声認識対象語を指定することが可能となる。従って、音声による入力操作の円滑化を図ることができる（請求項５，１４の効果）。
【００６７】
また、親和度は、走行履歴や登録内容や操作履歴に基づいて求められる。すなわち、親和度はユーザの行動や使用状態に応じて変化することとなる。このため、各地域の親和度はユーザ毎に設定されることとなり、各ユーザに対して仮名表記４２が適切に提供されることとなる。従って、ユーザに対して柔軟に音声入力の支援を行うことができる（請求項６，７，８）。
【００６８】
なお、本発明は上記実施形態に限られるものではない。例えば、第１及び第２実施形態では、走行履歴や操作履歴は記憶されたままとされているが、走行履歴や操作履歴を取得してから所定日数経過すると、親和度登録部３４がこれらの履歴を削除するようにしてもよい。また、第３実施形態では、親和度と所定値とを比較し、親和度が所定値を下回る場合に仮名表記４２として表示するようにしているが、親和度を所定値と比較することなく、単に走行履歴や登録内容や操作履歴のうちいずれかが親和度データベース６０に記憶されている場合に音声認識対象語を漢字などの一般表記４１にし、いずれも記憶されていない場合に音声認識対象語を平仮名などの仮名表記４２にしてもよい。
【００６９】
また、第１〜第３実施形態では、音声認識対象語として各市区町名や駅名を挙げているが、音声認識対象語は、ランドマークや建築物等の名称であってもよい。また、音声認識対象語を仮名表記４２とする際、すべて平仮名としているが、仮名表記４２は、平仮名でなく片仮名による表記であってもよい。
【００７０】
さらに、第１〜第３実施形態では、提示処理部３３は、仮名表記４２にて表示を行う場合、常に仮名を表示する必要はなく、時分割で一般表記４１と仮名表記４２とを切り替えるようにしてもよい。また、提示処理部３３は、仮名表記４２として「へみ駅」などのように、区市町村や駅等の明らかに読むことができる漢字を仮名にせず、他の部分だけを仮名にして、ディスプレイ４０に表示させるようにしてもよい。
【図面の簡単な説明】
【図１】本発明の第１実施形態に係る表示装置の構成図である。
【図２】第１実施形態の表示装置の動作を示すフローチャートである。
【図３】第１の提示処理が実行される場合に表示手段に表示される画像を示す説明図であり、（ａ）は実行前の表示画像の一例を示しており、（ｂ）は実行後の表示画像の一例を示している。
【図４】第２の提示処理が実行される場合に表示手段に表示される画像を示す説明図であり、（ａ）は実行前の表示画像の一例を示しており、（ｂ）は実行後の表示画像の一例を示している。
【図５】第３の提示処理が実行される場合に表示手段に表示される画像を示す説明図であり、（ａ）は実行前の表示画像の一例を示しており、（ｂ）は実行後の表示画像の一例を示している。
【図６】音声認識対象語の尤度の一例を示す説明図である。
【図７】第４の提示処理が実行される場合に表示手段に表示される画像を示す説明図であり、（ａ）は実行前の表示画像の一例を示しており、（ｂ）は実行後の表示画像の一例を示している。
【図８】本発明の第３実施形態に係る表示装置の構成図である。
【図９】第３実施形態の表示装置の動作を示すフローチャートである。
【図１０】親和度に基づいて表示される画像を示す説明図であり、（ａ）は表示内容切替前の画像の一例を示しており、（ｂ）は表示内容切替後の画像の一例を示しており、（ｃ）は表示内容切替後の画像の他の例を示している。
【符号の説明】
３１　音声認識部（音声認識手段）
３２　判定部（選択手段）
３３　提示処理部（表示内容生成手段）
４０　ディスプレイ（表示手段）
４２　仮名表記
６０　親和度データベース（記憶手段）
【図１】
2004133162.tif 000003
【図２】
2004133162.tif 000004
【図３】
2004133162.tif 000005
【図４】
2004133162.tif 000006
【図５】
2004133162.tif 000007
【図６】
2004133162.tif 000008
【図７】
2004133162.tif 000009
【図８】
2004133162.tif 000010
【図９】
2004133162.tif 000011
【図１０】
2004133162.tif 000012